(57)【要約】【課題】箱本体をネスティングした状態の安定性を確保することができる。【解決手段】ボックス本体２０では、ボックス本体２０をネスティングするときに用いられる嵌合リブ２２及び被嵌合部２４が、ボックス本体２０における側壁２０Ｂの下端部に設けられている。そして、側壁２０Ｂの下端部は、ボックス本体２０の底壁２０Ａに接続されている。すなわち、嵌合リブ２２及び被嵌合部２４が、側壁２０Ｂにおいて、比較的変位の小さい部位に設けられている。このため、側壁２０Ｂが撓み変形したときの、嵌合リブ２２及び被嵌合部２４の変位量を、低減することができる。したがって、上側及び前側へ開放された略直方体箱状を成すボックス本体２０であっても、ボックス本体２０をネスティングした状態の安定性を確保することができる。【選択図】図１
2019156490.tif 000002
【特許請求の範囲】
【請求項１】
上側及び前側へ開放された箱形状に形成され、内部が収納部として構成された箱本体と、
前記箱本体に分解可能に組付けられ且つ前記箱本体の上側の開口部を塞ぐ上カバーと、
を含んで構成され、
前記箱本体は、前記箱本体同士を、上下方向に積み重なるネスティング可能に構成されており、
前記箱本体における側壁の下端部には、ネスティング時に互いに嵌合される嵌合部及び被嵌合部が形成されていることを特徴とする収納箱。
【請求項２】
前記嵌合部は、前記側壁から前記箱本体の幅方向内側へ突出され且つ上下方向に延在されたリブ状に形成され、
前記被嵌合部は、前記箱本体の幅方向外側へ且つ下側へ開放された溝部を有しており、
前記箱本体のネスティング時には、下側に配置された前記箱本体における前記嵌合部の上端部が、上側に配置された前記箱本体の前記溝部の内部に挿入されることを特徴とする請求項１に記載の収納箱。
【請求項３】
前記嵌合部の上端面及び前記溝部の上端面が、正面視で、前記箱本体の幅方向内側へ向かうに従い上側へ傾斜されていることを特徴とする請求項２に記載の収納箱。
【請求項４】
前記箱本体には、前記箱本体の前側の開口部を開閉する蓋が分解可能に組付けられており、
前記上カバーの下面には、前記箱本体から分解された状態の前記蓋を保持する保持機構が設けられていることを特徴とする請求項１〜請求項３の何れか１項に記載の収納箱。
【請求項５】
前記保持機構は、前記蓋の外周縁部と係合可能に構成された保持爪を有していることを特徴とする請求項４に記載の収納箱。
【請求項６】
前記箱本体の底壁の前端部には、前記蓋を回転可能に支持する支持部が形成されており、
前記支持部が、側面視で下側へ開放された凹状に形成されると共に、前記箱本体の幅方向全体に亘って延在されていることを特徴とする請求項４又は請求項５に記載の収納箱。
【請求項７】
前記収納部には、抽斗が前後方向にスライド可能に収納されており、
前記抽斗は、上側且つ前側へ又は上側へ開放された箱形状に形成されると共に、前記抽斗同士を、上下方向に積み重なるネスティング可能に構成されていることを特徴とする請求項１〜請求項３の何れか１項に記載の収納箱。
【請求項８】
前記抽斗は、上側且つ前側へ開放された箱状に形成され、
前記抽斗には、前記抽斗の前側の開口部を閉塞する前面カバーが分解可能に組付けられており、
前記前面カバーの厚み寸法が、前記嵌合部の上下方向の高さ寸法よりも小さく設定されている請求項７に記載の収納箱。
【請求項９】
前記抽斗は、上側且つ前側へ開放された箱状に形成され、
前記抽斗には、前記抽斗の前側の開口部を閉塞する前面カバーが分解可能に組付けられており、
前記箱本体の底壁には、前記抽斗から分解された状態の前記前面カバーを収容するカバー収容部が形成されている請求項７に記載の収納箱。
【請求項１０】
前記箱本体及び前記上カバーの前端部には、前記箱本体及び上カバーを覆う枠部材が分解可能に組付けられており、
前記枠部材には、前記抽斗のスライド時に前記抽斗が挿通される挿通部が形成され、前記枠部材の厚み寸法が、前記嵌合部の上下方向の高さ寸法よりも小さく設定されている請求項７に記載の収納箱。
【請求項１１】
前記箱本体及び前記上カバーの前端部には、前記箱本体及び上カバーを覆う枠部材が分解可能に組付けられ、
前記枠部材には、前記抽斗のスライド時に前記抽斗が挿通される挿通部が形成されており、
前記箱本体の底壁には、前記箱本体及び前記上カバーから分解された状態の前記枠部材を収容する枠部材収容部が形成されている請求項７に記載の収納箱。
【発明の詳細な説明】
【技術分野】
【０００１】
本発明は、収納箱に関する。
【背景技術】
【０００２】
下記特許文献１に記載の靴包装箱（収納箱）は、上側へ開放された箱本体と、箱本体の開口部を閉塞する蓋と、を含んで構成されている。この箱本体は、透明樹脂シートによって構成されており、使用時には、箱本体を折り曲げてボックス状にすると共に、不使用時には、箱本体を折り畳んで保存することができる。これにより、例えば、箱本体を輸送するときなどの輸送効率などを向上することができる。
【０００３】
また、収納箱では、例えば、収納箱の前端部に開閉可能な蓋を設けるために、箱本体が上側及び前側へ開放された箱状を成しているものもある。
【先行技術文献】
【特許文献】
【０００４】
【特許文献１】特開２０１０−１８９００５号公報
【発明の概要】
【発明が解決しようとする課題】
【０００５】
ところで、箱状を成す収納箱では、一般に、箱本体の剛性を確保するために、箱本体が折り畳み不能に構成されている。このため、例えば、輸送効率などを向上するためには、一方の箱本体の内部に他方の箱本体を積重ねるように、箱本体をネスティング可能に構成することが好ましい。さらに、この場合には、箱本体をネスティングした状態の安定性を確保できる構造にすることが望ましい。
【０００６】
本発明は、上記事実を考慮して、箱本体をネスティングした状態の安定性を確保することができる収納箱を提供することを目的とする。
【課題を解決するための手段】
【０００７】
形態１：本発明の１又はそれ以上の実施形態は、上側及び前側へ開放された箱形状に形成され、内部が収納部として構成された箱本体と、前記箱本体に分解可能に組付けられ且つ前記箱本体の上側の開口部を塞ぐ上カバーと、を含んで構成され、前記箱本体は、前記箱本体同士を、上下方向に積み重なるネスティング可能に構成されており、前記箱本体における側壁の下端部には、ネスティング時に互いに嵌合される嵌合部及び被嵌合部が形成されていることを特徴とする収納箱である。
【０００８】
形態２：本発明の１又はそれ以上の実施形態は、前記嵌合部は、前記側壁から前記箱本体の幅方向内側へ突出され且つ上下方向に延在されたリブ状に形成され、前記被嵌合部は、前記箱本体の幅方向外側へ且つ下側へ開放された溝部を有しており、前記箱本体のネスティング時には、下側に配置された前記箱本体における前記嵌合部の上端部が、上側に配置された前記箱本体の前記溝部の内部に挿入されることを特徴とする収納箱である。
【０００９】
形態３：本発明の１又はそれ以上の実施形態は、前記嵌合部の上端面及び前記溝部の上端面が、正面視で、前記箱本体の幅方向内側へ向かうに従い上側へ傾斜されていることを特徴とする収納箱である。
【００１０】
形態４：本発明の１又はそれ以上の実施形態は、前記箱本体には、前記箱本体の前側の開口部を開閉する蓋が分解可能に組付けられており、前記上カバーの下面には、前記箱本体から分解された状態の前記蓋を保持する保持機構が設けられていることを特徴とする収納箱である。
【００１１】
形態５：本発明の１又はそれ以上の実施形態は、前記保持機構は、前記蓋の外周縁部と係合可能に構成された保持爪を有していることを特徴とする収納箱である。
【００１２】
形態６：本発明の１又はそれ以上の実施形態は、前記箱本体の底壁の前端部には、前記蓋を回転可能に支持する支持部が形成されており、前記支持部が、側面視で下側へ開放された凹状に形成されると共に、前記箱本体の幅方向全体に亘って延在されていることを特徴とする収納箱である。
【００１３】
形態７：本発明の１又はそれ以上の実施形態は、前記収納部には、抽斗が前後方向にスライド可能に収納されており、前記抽斗は、上側且つ前側へ又は上側へ開放された箱形状に形成されると共に、前記抽斗同士を、上下方向に積み重なるネスティング可能に構成されていることを特徴とする収納箱である。
【００１４】
形態８：本発明の１又はそれ以上の実施形態は、前記抽斗は、上側且つ前側へ開放された箱状に形成され、前記抽斗には、前記抽斗の前側の開口部を閉塞する前面カバーが分解可能に組付けられており、前記前面カバーの厚み寸法が、前記嵌合部の上下方向の高さ寸法よりも小さく設定されている収納箱である。
【００１５】
形態９：本発明の１又はそれ以上の実施形態は、前記抽斗は、上側且つ前側へ開放された箱状に形成され、前記抽斗には、前記抽斗の前側の開口部を閉塞する前面カバーが分解可能に組付けられており、前記箱本体の底壁には、前記抽斗から分解された状態の前記前面カバーを収容するカバー収容部が形成されている収納箱である。
【００１６】
形態１０：本発明の１又はそれ以上の実施形態は、前記箱本体及び上カバーの前端部には、前記箱本体及び上カバーを覆う枠部材が分解可能に組付けられており、前記枠部材には、前記抽斗のスライド時に前記抽斗が挿通される挿通部が形成され、前記枠部材の厚み寸法が、前記嵌合部の上下方向の高さ寸法よりも小さく設定されている収納箱である。
【００１７】
形態１１：本発明の１又はそれ以上の実施形態は、前記箱本体及び前記上カバーの前端部には、前記箱本体及び上カバーを覆う枠部材が分解可能に組付けられ、前記枠部材には、前記抽斗のスライド時に前記抽斗が挿通される挿通部が形成されており、前記箱本体の底壁には、前記箱本体及び前記上カバーから分解された状態の前記枠部材を収容する枠部材収容部が形成されている収納箱である。
【発明の効果】
【００１８】
本発明の１又はそれ以上の実施形態によれば、箱本体をネスティングした状態の安定性を確保することができる。
【図面の簡単な説明】
【００１９】
【図１】（Ａ）は、第１の実施の形態に係る収納ボックスにおけるボックス本体をネスティングする前の状態を示す斜視図であり、（Ｂ）は、（Ａ）に示されるボックス本体をネスティングした状態を示す斜視図である。
【図２】（Ａ）は、第１の実施の形態の収納ボックスを示す斜視図であり、（Ｂ）は、（Ａ）に示される収納ボックスを分解した分解斜視図である。
【図３】図２に示されるボックス本体を示す斜視図である。
【図４】（Ａ）は、図３に示されるボックス本体を示す平面図であり、（Ｂ）は、ボックス本体を示す正面図である。
【図５】（Ａ）は、図４（Ａ）に示される嵌合リブを示す断面図（図４（Ａ）の５Ａ−５Ａ線断面図）であり、（Ｂ）は、図４（Ａ）に示される被嵌合部を示す断面図（図４（Ａ）の５Ｂ−５Ｂ線断面図）であり、（Ｃ）は、ボックス本体をネスティングしたときの嵌合リブと被嵌合部の溝部との嵌合状態を示す断面図である。
【図６】図２に示されるドアを示す斜視図である。
【図７】図２に示される上カバーを示す下側から見た斜視図である。
【図８】ドアを上カバーに組付けた状態を示す斜視図である。
【図９】図２（Ａ）に示される収納ボックスをスタッキングした状態を示す斜視図である。
【図１０】（Ａ）は、図３に示されるボックス本体のネスティング初期状態を説明するための、ボックス本体の前部を左側から見た側面図であり、（Ｂ）は、ボックス本体のネスティング完了状態を説明するための、ボックス本体の前部を左側から見た側面図である。
【図１１】（Ａ）は、第２の実施の形態に係る収納ボックスを示す斜視図であり、（Ｂ）は、（Ａ）に示される収納ボックスを示す側断面図（図１１（Ａ）の１１Ｂ−１１Ｂ線断面図）である。
【図１２】図１１（Ａ）に示される収納ボックスを分解した分解斜視図である。
【図１３】図１１（Ａ）に示される収納ボックスのボックス本体及び抽斗のネスティング状態を示す側断面図である。
【図１４】第２の実施の形態の変形例に係る収納ボックスにおけるボックス本体を一部破断した斜視図である。
【図１５】第２の実施の形態の変形例における収納ボックスのボックス本体及び抽斗のネスティング状態を示す側断面図である。
【図１６】（Ａ）は、第３の実施の形態に係る収納ボックスを示す斜視図であり、（Ｂ）は、（Ａ）に示される収納ボックスを示す側断面図（図１６（Ａ）の１６Ｂ−１６Ｂ線断面図）である。
【図１７】図１６（Ａ）に示される収納ボックスを分解した分解斜視図である。
【図１８】図１７（Ａ）に示される収納ボックスのボックス本体及び抽斗のネスティング状態を示す側断面図である。
【図１９】第３の実施の形態の変形例に係る収納ボックスにおけるボックス本体を一部破断した斜視図である。
【図２０】第３の実施の形態の変形例における収納ボックスのボックス本体及び抽斗のネスティング状態を示す側断面図である。
【発明を実施するための形態】
【００２０】
（第１の実施の形態）
以下、図１〜図１０を用いて、第１の実施の形態に係る「収納箱」としての収納ボックス１０について説明する。なお、図面において適宜示される矢印ＵＰ，矢印ＦＲ，矢印ＲＨは、それぞれ収納ボックス１０の上側、前側、右側（幅方向一方側）を示している。そして、以下の説明において、上下、前後、左右の方向を示して説明するときには、特に断りのない限り、収納ボックス１０の上下方向、前後方向、左右方向を示すものとする。
【００２１】
（収納ボックスの全体構成について）
図２（Ａ）及び（Ｂ）に示されるように、収納ボックス１０は、中空の略直方体箱状に形成されている。また、本実施の形態では、収納ボックス１０が、例えば、靴あるいは衣類などを収納するための収納ボックスとして構成されている。収納ボックス１０は、収納ボックス１０の本体を構成する「箱本体」としてのボックス本体２０と、収納ボックス１０の上端部を構成する上カバー５０と、収納ボックス１０の前端部において開閉可能に構成された「蓋」としてのドア４０と、を含んで構成されている。そして、上カバー５０及びドア４０が、ボックス本体２０に分解可能（着脱可能）に組付けられている。
【００２２】
また、収納ボックス１０は、収納ボックス１０同士を上下に積重ねる、スタッキング可能に構成されている。さらに、収納ボックス１０を分解した状態では、ボックス本体２０が、他のボックス本体２０を内部に配置してボックス本体２０同士を上下に積重ねる、ネスティング可能に構成されている（図１（Ｂ）参照）。また、収納ボックス１０を分解した状態では、上カバー５０が、上カバー５０同士を上下に積重ねる、スタッキング可能に構成されている。以下、収納ボックス１０の各構成について説明する。
【００２３】
（ボックス本体について）
図３及び図４に示されるように、ボックス本体２０は、樹脂材（本実施の形態では、ポリプロピレン（ＰＰ））によって構成されると共に、上側及び前側へ開放された略直方体箱状に形成されている。具体的には、ボックス本体２０は、上下方向を板厚方向とし且つ前後方向を長手方向とする略矩形板状の底壁２０Ａと、底壁２０Ａの幅方向両端部から上側へ延出された左右一対の側壁２０Ｂと、底壁２０Ａの後端部から上側へ延出された後壁２０Ｃと、を含んで構成されている。そして、ボックス本体２０の内部が、収納物としての靴などの内容物（図示省略）を収納するための収納部２０Ｄとされている。
【００２４】
ボックス本体２０の側壁２０Ｂは、正面視で、下側へ向かうに従いボックス本体２０の幅方向内側へ傾斜している。これにより、収納ボックス１０を分解した状態において、ボックス本体２０が、ネスティング可能に構成されている。
また、ボックス本体２０の後壁２０Ｃは、側面視で、下側へ向かうに従い前側へ傾斜している。そして、側壁２０Ｂの垂直方向に対する傾斜角度が、後壁２０Ｃの垂直方向に対する傾斜角度よりも大きく設定されている。あるいは、側壁２０Ｂおよび後壁２０Ｃのうち、側壁２０Ｂのみを傾斜させて、後壁２０Ｃは傾斜させず垂直としてもよい。
【００２５】
ボックス本体２０の側壁２０Ｂの下端部には、ボックス本体２０をネスティングするときに用いられる、「嵌合部」としての嵌合リブ２２と、被嵌合部２４と、が設けられている。嵌合リブ２２及び被嵌合部２４は、対を成しており、対を成す嵌合リブ２２及び被嵌合部２４が、ボックス本体２０に４箇所形成されている。具体的には、対を成す嵌合リブ２２及び被嵌合部２４が、左右の側壁２０Ｂの下端部における前端部（２箇所）及び後端部（２箇所）に、それぞれ形成されている。
【００２６】
図５（Ａ）に示されるように、嵌合リブ２２は、側壁２０Ｂの下端部からボックス本体２０の幅方向内側へ突出されると共に、底壁２０Ａから上側へ延出されている。嵌合リブ２２の上端面は、正面視で、ボックス本体２０の幅方向内側へ向かうに従い上側へ傾斜されている。
【００２７】
図３及び図４（Ａ）に示されるように、被嵌合部２４は、嵌合リブ２２の後側に近接して配置されている。この被嵌合部２４は、側壁２０Ｂからボックス本体２０の幅方向内側へ且つ底壁２０Ａから上側へ突出されている。図３及び図５（Ｂ）に示されるように、被嵌合部２４には、溝部２４Ａが形成されており、溝部２４Ａは、ボックス本体２０の幅方向外側及び下側へ開放されている。すなわち、溝部２４Ａは、ボックス本体２０（収納ボックス１０）の下側の角部において外部に露出されている。そして、溝部２４Ａが、嵌合リブ２２に対して距離Ｌ１（図１０（Ａ）参照）分だけ後側に配置されている。
【００２８】
また、溝部２４Ａの上端面は、嵌合リブ２２の上端面に対応して、ボックス本体２０の幅方向内側へ向かうに従い上側へ傾斜されている。これにより、被嵌合部２４の上端面も、溝部２４Ａの上端面に対応して、ボックス本体２０の幅方向内側へ向かうに従い上側へ傾斜されている。よって、嵌合リブ２２が溝部２４Ａに当接して嵌め合わさった時に、上方向（縦方向）からの荷重がかかってもネスティングの状態が維持され、嵌合リブ２２が座屈するのを防ぐことができる。さらに、溝部２４Ａの溝幅は、嵌合リブ２２の厚み寸法（前後方向の寸法）と比べて僅かに大きく設定されており、上下方向における溝部２４Ａの溝深さ寸法が、嵌合リブ２２の上下方向の高さ寸法よりも小さく設定されている。なお、嵌合リブ２２の厚み寸法は、上側へ向かうに従い小さくなるように設定されている。すなわち、嵌合リブ２２の側面が、上側へ向かうに従い互いに接近するように、若干傾斜している。
【００２９】
そして、図５（Ｃ）に示されるように、ボックス本体２０同士をネスティングした状態では、下側（一方）のボックス本体２０における嵌合リブ２２の上端部が、上側（他方）のボックス本体２０における溝部２４Ａ内に挿入される構成になっている。これにより、ボックス本体２０同士をネスティングしたときには、上側のボックス本体２０が、下側のボックス本体２０の嵌合リブ２２によって下側から支持されて、下側のボックス本体２０に対して上側に離間して配置されるようになっている。また、この状態では、上側のボックス本体２０が、下側のボックス本体２０に対して、溝部２４Ａと嵌合リブ２２との間の距離Ｌ１分だけ前側にずれて配置されるようになっている（図１（Ｂ）及び図１０（Ｂ）参照）。さらに、この状態では、嵌合リブ２２が溝部２４Ａの内周面に当接することで、前後方向における、上側のボックス本体２０の下側のボックス本体２０に対する相対変位が抑制される構成になっている。
【００３０】
図３及び図４に示されるように、ボックス本体２０の上端部には、後述する上カバー５０を固定するためのフランジ２６が形成されている。フランジ２６は、ボックス本体２０の外側へ突出されると共に、平面視で、ボックス本体２０の周方向全周に亘って延在されている。換言すると、フランジ２６は、左右の側壁２０Ｂにおいて前後方向に延在され、後壁２０Ｃにおいて左右方向に延在されている。
【００３１】
また、左右の側壁２０Ｂの前端部には、ボックス本体２０の幅方向外側へ張り出されたフランジ部２８が形成されており、フランジ部２８は、階段状に形成されている。これにより、フランジ部２８には、前側段差部２８Ａが形成されている。さらに、フランジ部２８（前側段差部２８Ａを含む）の前後方向の寸法（厚み寸法）Ｌ２（図１０（Ａ）参照）は、溝部２４Ａと嵌合リブ２２との間の距離Ｌ１と同じに設定されている。そして、ボックス本体２０をネスティングしたときには、ネスティングされたボックス本体２０のフランジ部２８同士が、前後方向において隣接して配置されるようになっている。すなわち、フランジ部２８が、ボックス本体２０のネスティング時におけるガイド部として機能するようになっている。また、フランジ部２８の前正面部は、側壁２０Ｂが傾斜していても正面から見たときの箱本体の正面外観が矩形となるように設けられている。なお、前述した嵌合リブ２２の厚みの最大寸法は、溝部２４Ａと嵌合リブ２２との間の距離Ｌ１の距離の１／５〜３／５にすることができる。
【００３２】
さらに、ボックス本体２０の底壁２０Ａにおける前端部には、後述するドア４０を回転可能に支持するための支持部３０が形成されている。支持部３０は、側面視で下側へ開放された略逆Ｕ字形状（凹状）に形成されて、ボックス本体２０の幅方向全体に亘って延在されている。具体的には、支持部３０は、ボックス本体２０の底壁２０Ａから上側へ延出された支持後壁部３０Ａと、支持後壁部３０Ａの上端部から前側へ延出された支持頂壁部３０Ｂと、支持頂壁部３０Ｂの前端部から下側へ延出された支持前壁部３０Ｃと、を含んで構成されている。そして、支持前壁部３０Ｃの前面と、前述したフランジ部２８の前面と、が面一となるように、支持前壁部３０Ｃがフランジ部２８に接続されている。さらに、支持前壁部３０Ｃの下端は、ボックス本体２０の底壁２０Ａの下面よりも、上側に配置されている。また、支持前壁部３０Ｃ及びフランジ部２８の前面は、前後方向に直交する面に沿って配置されている。なお、支持部３０の高さは、嵌合リブ２２の高さよりも低く設定されている。
【００３３】
支持部３０には、左右一対の支持凹部３０Ｄが形成されており、支持凹部３０Ｄは、ボックス本体２０の幅方向中央に対して左右対称の位置に配置されている。支持凹部３０Ｄは、上側及び前側へ開放された凹状に形成されている。この支持凹部３０Ｄにおけるボックス本体２０の幅方向中央側の側壁には、支持孔３０Ｄ１が貫通形成されている。この支持孔３０Ｄ１は、上下方向に延在されており、支持孔３０Ｄ１の上縁が、下側へ開放された半円状に湾曲されている。また、支持孔３０Ｄ１の下端部は、支持凹部３０Ｄの底壁の端部まで延びている。
【００３４】
一方、ボックス本体２０の底壁２０Ａにおける後端部には、上側へ一段上がった後側段差部３２が形成されている、また、ボックス本体２０の底壁２０Ａには、上側へ一段上がった底面絞り部２０Ａ１が形成されており、底面絞り部２０Ａ１は、平面視で、底壁２０Ａと略相似形を成す矩形状に形成されている。これにより、底面絞り部２０Ａ１によって底壁２０Ａの剛性を確保する構成になっている。さらに、ボックス本体２０の側壁２０Ｂの下端部には、前後方向中間部（具体的には、前側の嵌合リブ２２及び被嵌合部２４と、後側の嵌合リブ２２及び被嵌合部２４と、の間の位置）において、ボックス本体２０の幅方向内側へ突出された側面絞り部２０Ｂ１が形成されており、側面絞り部２０Ｂ１は、側面視で略台形状に形成されている。これにより、側面絞り部２０Ｂ１によって側壁２０Ｂの剛性を確保する構成になっている。
【００３５】
（ドアについて）
図６に示されるように、ドア４０は、樹脂材（本実施の形態では、ポリプロピレン（ＰＰ））によって構成されている。また、ドア４０は、前後方向を板厚方向とし且つ左右方向を長手方向とした略矩形板状に形成されて、ボックス本体２０の支持部３０の上側で且つ左右の前側段差部２８Ａの間に配置されている。ドア４０の下端部には、左右一対のヒンジ部４２が一体に形成されており、ヒンジ部４２は、ドア４０から下側へ突出されると共に、ボックス本体２０の支持凹部３０Ｄに対応する位置に配置されている。ヒンジ部４２は、正面視で、左右方向を長手方向とした略矩形状に形成されると共に、後側へ開放された凹状に形成されている。すなわち、ヒンジ部４２は、左右一対のヒンジ側壁４２Ａを有している。
【００３６】
ヒンジ部４２におけるドア４０の幅方向中央側のヒンジ側壁４２Ａには、ヒンジ軸４２Ｂが一体に形成されている。ヒンジ軸４２Ｂは、略円柱状に形成されて、該ヒンジ側壁４２Ａからドア４０の幅方向中央側へ突出されている。このヒンジ軸４２Ｂの先端部には、下端側の部位において、傾斜面４２Ｂ１が形成されており、傾斜面４２Ｂ１は、ヒンジ軸４２Ｂの基端側へ向かうに従い下側へ傾斜されている。そして、ヒンジ軸４２Ｂが、ボックス本体２０の支持孔３０Ｄ１内に挿入されて、支持孔３０Ｄ１に回転可能に支持されている（図２参照）。これにより、ドア４０がボックス本体２０に回転可能に組付けられて、ボックス本体２０における前側の開口部が、ドア４０によって開閉可能に構成されている。
【００３７】
ドア４０の上端部には、幅方向中央部において、取手４４が一体に形成されている。取手４４は、上下方向を板厚方向とした板状に形成されて、ドア４０から前側へ突出されている。取手４４の前端部は、平面視で、前側へ凸となる略円弧状に湾曲されている。取手４４の幅方向中央部には、上側へ突出されたドアフック４６が一体に形成されており、ドアフック４６は、左右方向に延在している。このドアフック４６の後面は、後側へ向かうに従い下側へ傾斜されている。そして、ドアフック４６が、後述する上カバー５０に係合することで、ドア４０がボックス本体２０の開口部を閉塞した状態に維持されるようになっている。
【００３８】
また、ドア４０の上端部には、取手４４の幅方向外側において、左右一対の切欠部４０Ａが形成されており、切欠部４０Ａは、正面視で上側へ開放された溝状に形成されている。さらに、ドア４０の上端部における左右一対の切欠部４０Ａの間の部分を、変形可能部４８としており、変形可能部４８は前後方向（ドア４０の板厚方向）に弾性変形可能に構成されている。そして、使用者が取手４４を把持して、取手４４を下側へ押圧することで、変形可能部４８が前後方向に弾性変形する構成になっている。
【００３９】
（上カバーについて）
図２及び図７に示されるように、上カバー５０は、樹脂材（本実施の形態では、ポリプロピレン（ＰＰ））によって構成されている。上カバー５０は、下側へ開放された、比較的底の浅い矩形箱状に形成されている。具体的には、上カバー５０は、上下方向を板厚方向とし且つ前後方向を長手方向とした略矩形板状を成すカバー本体５２と、カバー本体５２の外周縁部から下側へ延出された囲繞壁５４と、を含んで構成されており、囲繞壁５４は、カバー本体５２の周方向全周に亘って形成されている。
【００４０】
囲繞壁５４の左右の側壁には、前端部及び後端部において、係合フック部５４Ａがそれぞれ形成されている。すなわち、囲繞壁５４には、４箇所の係合フック部５４Ａが形成されている。係合フック部５４Ａは、囲繞壁５４の先端部（下端部）から上カバー５０の幅方向内側へ突出されると共に、前後方向に延在されている。また、囲繞壁５４の後壁には、幅方向中央部において、係合フック部５４Ｂが形成されている。係合フック部５４Ｂは、囲繞壁５４の先端部（下端部）から前側へ突出されると共に、左右方向に延在されている。そして、囲繞壁５４が、ボックス本体２０における上端部の外側に配置され、係合フック部５４Ａ，５４Ｂが、ボックス本体２０のフランジ２６の下側に隣接配置されて、フランジ２６と上下方向に係合している。これにより、上カバー５０の上側への移動が制限された状態で、上カバー５０がボックス本体２０に組付けられて、上カバー５０の上側の開口部が上カバー５０によって閉塞されている。
【００４１】
また、上カバー５０のボックス本体２０への組付状態では、囲繞壁５４の下端部とドア４０のドアフック４６とが係合可能となるように、囲繞壁５４のカバー本体５２からの延出長さが設定されている。これにより、囲繞壁５４における前壁の下端部と、ドア４０のドアフック４６と、が係合することで、ボックス本体２０における前側の開口部をドア４０が閉塞する状態が維持されるようになっている。
【００４２】
カバー本体５２には、外周部を除く部位において、下側へ一段下がった載置凹部５２Ａが形成されている。この載置凹部５２Ａは、平面視で、ボックス本体２０の底壁２０Ａ（詳しくは、支持部３０及び後側段差部３２を除く底壁２０Ａ）に対応した略矩形状に形成されている。そして、収納ボックス１０同士をスタッキングしたときには、上側の収納ボックス１０におけるボックス本体２０の底壁２０Ａが、下側の収納ボックス１０におけるカバー本体５２の載置凹部５２Ａ上に載置されると共に、当該載置凹部５２Ａ内に嵌め込まれるようになっている（図９参照）。
【００４３】
また、カバー本体５２は、ボックス本体２０の上端部と嵌合する嵌合機構６０と、分解状態のドア４０をカバー本体５２の内側に収容保持するための保持機構８０と、を有している。以下、嵌合機構６０及び保持機構８０について説明する。
【００４４】
＜嵌合機構について＞
嵌合機構６０は、左右一対の第１突出片６２、第２突出片６４、第３突出片６６、第４突出片６８、第５突出片７０を含んで構成されており、第１突出片６２〜第５突出片７０は、カバー本体５２の下面における外周部に設けられている。
【００４５】
[第１突出片について]
左右一対の第１突出片６２は、上カバー５０の下面における後端部に設けられると共に、係合フック部５４Ｂよりも上カバー５０の幅方向外側に配置されて、カバー本体５２から下側へ突出されている。第１突出片６２は、下側から見て、後側へ開放された略Ｕ字形状に形成されて、囲繞壁５４の後壁に接続されている。具体的には、第１突出片６２は、左右方向を板厚方向として囲繞壁５４から前側へ延出された左右一対の嵌合壁部６２Ａと、前後方向を板厚方向として左右方向に延在された連結壁部６２Ｂと、を含んで構成されており、左右一対の嵌合壁部６２Ａの前端部が、連結壁部６２Ｂによって連結されている。
【００４６】
一対の嵌合壁部６２Ａには、下側へ開放された嵌合溝６２Ｃが形成されている。そして、上カバー５０のボックス本体２０への組付状態では、ボックス本体２０における後壁２０Ｃの上端部が、嵌合溝６２Ｃ内に下側から嵌め込まれている。また、この組付状態では、一対の嵌合溝６２Ｃの底面に、ボックス本体２０における後壁２０Ｃの上端が当接するようになっている。これにより、上カバー５０のボックス本体２０への組付状態において、上カバー５０の後端部における下側への移動が制限されている。
【００４７】
また、第１突出片６２では、嵌合溝６２Ｃよりも前側部分が、囲繞壁５４の下端よりも下側へ突出されており、嵌合溝６２Ｃよりも後側部分は、囲繞壁５４の下端よりも上側に配置されている。そして、上カバー５０同士をスタッキングしたときには、第１突出片６２の下端が、下側のカバー本体５２の後端外周部に当接するように構成されている。
【００４８】
[第２突出片について]
左右一対の第２突出片６４は、上カバー５０の下面における後側角部に設けられると共に、カバー本体５２から下側へ突出されている。第２突出片６４は、下側から見て、略Ｌ字形状に形成されて、囲繞壁５４に接続されている。具体的には、第２突出片６４は、左右方向を板厚方向として囲繞壁５４の後壁から前側へ延出された嵌合壁部６４Ａと、前後方向を板厚方向として囲繞壁５４の側壁から上カバー５０の幅方向内側へ延出された嵌合壁部６４Ｂと、を含んで構成されている。
【００４９】
嵌合壁部６４Ａには、下側へ開放された嵌合溝６４Ｃが形成されており、嵌合壁部６４Ｂには、下側へ開放された嵌合溝６４Ｄが形成されている。そして、上カバー５０のボックス本体２０への組付状態では、ボックス本体２０の後壁２０Ｃの上端部が、嵌合溝６４Ｃ内に下側から嵌め込まれ、ボックス本体２０の側壁２０Ｂの上端部が、嵌合溝６４Ｄ内に下側から嵌め込まれている。さらに、この組付状態では、嵌合溝６４Ｃ及び嵌合溝６４Ｄの底面に、ボックス本体２０の上端が当接するようになっている。これにより、上カバー５０のボックス本体２０への組付状態において、上カバー５０の後角部における下側への移動が制限されている。
【００５０】
また、第２突出片６４では、嵌合溝６４Ｃよりも前側で且つ嵌合溝６４Ｃよりも右側の部分が、囲繞壁５４の下端よりも下側へ突出されており、上下方向における第２突出片６４の下端の位置が、第１突出片６２の下端の位置と一致している。これにより、上カバー５０同士をスタッキングしたときには、第２突出片６４の下端が、下側のカバー本体５２の後側両角部に当接するように構成されている。
【００５１】
[第３突出片について]
左右一対の第３突出片６６は、上カバー５０の下面における前側の角部に設けられると共に、カバー本体５２から下側へ突出されている。第３突出片６６は、下側から見て、上カバー５０の幅方向外側へ開放された略Ｕ字形状に形成されて、囲繞壁５４の側壁に接続されている。具体的には、第３突出片６６は、前後方向を板厚方向として囲繞壁５４の側壁から上カバー５０の幅方向内側へ延出された前後一対の嵌合壁部６６Ａと、左右方向を板厚方向として前後方向に延在された連結壁部６６Ｂと、を含んで構成されており、一対の嵌合壁部６６Ａにおける上カバー５０の幅方向内側端部が、連結壁部６６Ｂによって連結されている。
【００５２】
一対の嵌合壁部６６Ａには、下側へ開放された嵌合溝６６Ｃがそれぞれ形成されている。そして、上カバー５０のボックス本体２０への組付状態では、ボックス本体２０の側壁２０Ｂの上端部が、嵌合溝６６Ｃ内に下側から嵌め込まれている。さらに、この組付状態では、嵌合溝６６Ｃの底面に、ボックス本体２０の上端が当接するようになっている。これにより、上カバー５０のボックス本体２０への組付状態において、上カバー５０の前角部における下側への移動が制限されている。
【００５３】
また、第３突出片６６における嵌合溝６６Ｃよりも上カバー５０の幅方向内側部分は、囲繞壁５４の下端よりも下側へ突出されており、第３突出片６６における嵌合溝６６Ｃよりも上カバー５０の幅方向外側部分は、囲繞壁５４の下端よりも上側に配置されている。さらに、上下方向における第３突出片６６の下端の位置が、第１突出片６２の下端の位置と一致している。これにより、上カバー５０同士をスタッキングしたときには、第３突出片６６の下端が、下側のカバー本体５２の前側角部に当接するように構成されている。
【００５４】
[第４突出片について]
左右一対の第４突出片６８は、上カバー５０の下面における幅方向両端部に設けられると共に、上カバー５０の前後方向中間部から下側へ突出されている。第４突出片６８は、下側から見て、上カバー５０の幅方向外側へ開放された略Ｕ字形状に形成されて、囲繞壁５４の側壁に接続されている。具体的には、第４突出片６８は、前後方向を板厚方向として囲繞壁５４の側壁から上カバー５０の幅方向内側へ延出された前後一対の嵌合壁部６８Ａと、左右方向を板厚方向とする連結壁部６８Ｂと、を含んで構成されており、一対の嵌合壁部６８Ａにおける上カバー５０の幅方向内側端部が、連結壁部６８Ｂによって連結されている。
【００５５】
一対の嵌合壁部６８Ａには、下側へ開放された嵌合溝６８Ｃがそれぞれ形成されている。そして、上カバー５０のボックス本体２０への組付状態では、ボックス本体２０の側壁２０Ｂの上端部が、嵌合溝６８Ｃ内に下側から嵌め込まれている。さらに、この組付状態では、嵌合溝６８Ｃの底面に、ボックス本体２０の上端が当接するようになっている。これにより、上カバー５０のボックス本体２０への組付状態において、上カバー５０の幅方向両端部における前後方向中間部の下側への移動が制限されている。
【００５６】
また、第４突出片６８では、嵌合壁部６８Ａにおける嵌合溝６８Ｃよりも上カバー５０の幅方向内側部分は、囲繞壁５４の下端よりも下側へ突出されており、嵌合壁部６８Ａにおける嵌合溝６８Ｃよりも上カバー５０の幅方向外側部分は、囲繞壁５４の下端よりも上側に配置されている。そして、上下方向における嵌合壁部６８Ａの下端の位置が、第１突出片６２の下端の位置と一致している。これにより、上カバー５０同士をスタッキングしたときには、嵌合壁部６８Ａの下端が、下側のカバー本体５２の幅方向外側の外周部に当接するように構成されている。
【００５７】
さらに、第４突出片６８では、連結壁部６８Ｂの下端部が一対の嵌合壁部６８Ａの下端よりも下側に突出されている。そして、上カバー５０同士をスタッキングしたときには、連結壁部６８Ｂの下端部が、下側のカバー本体５２における載置凹部５２Ａの左右縁部に対して上カバー５０の幅方向内側に隣接配置されるようになっている。これにより、上カバー５０同士をスタッキングしたときには、下側の上カバー５０に対する上側の上カバー５０の左右方向の移動を連結壁部６８Ｂによって制限する構成になっている。
【００５８】
[第５突出片について]
左右一対の第５突出片７０は、上カバー５０の下面の幅方向両端部に設けられると共に、第３突出片６６と第４突出片６８との間において、カバー本体５２から下側へ突出されている。第５突出片７０は、第４突出片６８と同様に構成されている。すなわち、第５突出片７０は、前後方向を板厚方向として囲繞壁５４の側壁から上カバー５０の幅方向内側へ延出された前後一対の嵌合壁部７０Ａと、左右方向を板厚方向して前後方向に延在された連結壁部７０Ｂと、を含んで構成されており、一対の嵌合壁部７０Ａにおける上カバー５０の幅方向内側端部が連結壁部７０Ｂによって連結されている。
【００５９】
一対の嵌合壁部７０Ａには、下側へ開放された嵌合溝７０Ｃがそれぞれ形成されている。そして、上カバー５０のボックス本体２０への組付状態では、ボックス本体２０の側壁２０Ｂの上端部が、嵌合溝７０Ｃ内に下側から嵌まり込んでいる。さらに、この組付状態では、嵌合溝７０Ｃの底面に、ボックス本体２０の上端が当接するようになっている。これにより、上カバー５０のボックス本体２０への組付状態において、上カバー５０の幅方向両端部における前側部分の下側への移動が制限されている。
【００６０】
また、嵌合壁部７０Ａにおける嵌合溝７０Ｃよりも上カバー５０の幅方向内側の部分は、囲繞壁５４の下端よりも下側へ突出されており、嵌合壁部７０Ａにおける嵌合溝７０Ｃよりも幅方向外側の部分は、囲繞壁５４の下端よりも上側に配置されている。そして、上下方向における嵌合壁部７０Ａの下端の位置が、第１突出片６２の下端の位置と一致している。これにより、上カバー５０同士をスタッキングしたときには、嵌合壁部７０Ａの下端が、下側のカバー本体５２の幅方向外側の外周部に当接するように構成されている。
【００６１】
さらに、第５突出片７０では、連結壁部７０Ｂの下端部が一対の嵌合壁部７０Ａの下端よりも下側に突出されている。そして、上カバー５０同士をスタッキングしたときには、連結壁部７０Ｂの下端部が、下側のカバー本体５２における載置凹部５２Ａの左右縁部に対して上カバー５０の幅方向内側に隣接配置されるようになっている。これにより、上カバー５０同士をスタッキングしたときには、下側の上カバー５０に対する上側の上カバー５０の左右方向の移動を連結壁部７０Ｂによって制限する構成になっている。
【００６２】
＜保持機構について＞
保持機構８０は、左右一対の「保持爪」としてのリヤ保持爪８２と、左右一対の「保持爪」としてのフロント保持爪８４と、を含んで構成されており、リヤ保持爪８２及びフロント保持爪８４は、カバー本体５２の下面に設けられている。
【００６３】
[リヤ保持爪について]
左右一対のリヤ保持爪８２は、上カバー５０の後端部に設けられると共に、第１突出片６２に対して上カバー５０の幅方向外側にそれぞれ近接して配置されている。リヤ保持爪８２は、前後方向を板厚方向とし且つカバー本体５２から下側へ延出された保持片８２Ａと、保持片８２Ａの下端部から前側へ突出された保持フック８２Ｂと、を含んで構成されている。また、リヤ保持爪８２は、前後方向に弾性変形可能に構成されている。
【００６４】
[フロント保持爪について]
左右一対のフロント保持爪８４は、上カバー５０の幅方向両端部に設けられると共に、リヤ保持爪８２よりも前側に所定距離離間した位置に配置されると共に、リヤ保持爪８２よりも上カバー５０の幅方向外側に配置されている。フロント保持爪８４は、前後方向を板厚方向とし且つカバー本体５２から下側へ延出された保持片８４Ａと、保持片８４Ａの下端部から後側へ突出された保持フック８４Ｂと、を含んで構成されている。また、フロント保持爪８４は、前後方向に弾性変形可能に構成されている。
【００６５】
リヤ保持爪８２の保持片８２Ａとフロント保持爪８４の保持片８２Ａとの間の前後方向の寸法は、ドア４０の上下方向の寸法よりも僅かに大きく設定されている。また、上カバー５０の内部におけるリヤ保持爪８２とフロント保持爪８４との間の空間が、ドア４０を収容するためのドア収容部８６とされている。そして、収納ボックス１０の分解状態では、ドア４０をドア収容部８６内に収容可能に構成されている。具体的には、ドア４０の下端部がリヤ保持爪８２の保持フック８２Ｂに係合し、ドア４０の上端部がフロント保持爪８４の保持フック８４Ｂに係合して、ドア４０がドア収容部８６内で保持されている（図８参照）。
【００６６】
また、ドア４０がドア収容部８６内に収容された状態では、ドア４０のヒンジ部４２が、リヤ保持爪８２と第２突出片６４との間に配置されるようになっている。さらに、この状態で、上カバー５０同士をスタッキングしたときには、ドア４０の取手４４の先端部が、下側の上カバー５０の載置凹部５２Ａ内に配置されて、ドア４０の取手４４と上カバー５０とが干渉しないように設定されている。
【００６７】
（作用効果）
次に、収納ボックス１０の分解状態において、ボックス本体２０をネスティングするときの手順及びドア４０を上カバー５０に組付けるときの手順を説明しつつ、本実施の形態の作用及び効果について説明する。
【００６８】
上記のように構成された収納ボックス１０では、収納ボックス１０の前端部にドア４０が回転可能に設けられている。このため、収納ボックス１０内に靴などの内容物を収納させるときには、使用者がドア４０の取手４４を把持して、ドア４０のドアフック４６と上カバー５０の囲繞壁５４との係合状態を解除することで、収納ボックス１０の前端部の開口部が開かれる。これにより、当該開口部から収納ボックス１０内に靴などの内容物を収納させる。
【００６９】
（ボックス本体のネスティングについて）
図１（Ａ）に示されるように、収納ボックス１０を分解した状態において、複数のボックス本体２０をネスティングするときには、一方のボックス本体２０の上側に、他方のボックス本体２０を配置する。そして、図１０（Ａ）に示されるように、他方のボックス本体２０の下端部を、一方のボックス本体２０における上端部の内部に上側から挿入する。このとき、一方のボックス本体２０の嵌合リブ２２に、他方のボックス本体２０における被嵌合部２４の溝部２４Ａを合わせるように、他方のボックス本体２０を一方のボックス本体２０内に挿入する。また、このときには、他方のボックス本体２０のフランジ部２８（詳しくは、前側段差部２８Ａ）の後面を、一方のボックス本体２０のフランジ部２８の前側に隣接するように配置する。これにより、ボックス本体２０の前端部を構成するフランジ部２８（詳しくは、前側段差部２８Ａ）が、ネスティング時における、上下のボックス本体２０の相対位置を決める位置決め部として機能する。
【００７０】
そして、図１０（Ａ）に示される状態から、他方のボックス本体２０を下側へ移動させる。具体的には、他方のボックス本体２０のフランジ部２８（前側段差部２８Ａ）の後面を、一方のボックス本体２０のフランジ部２８の前面に沿わせながら、他方のボックス本体２０を下側へ移動させる。これにより、ボックス本体２０の前端部を構成するフランジ部２８（前側段差部２８Ａ）が、ネスティング時における、ガイド部として機能する。
【００７１】
そして、他方のボックス本体２０を、図１０（Ｂ）に示される位置まで下降させることで、一方のボックス本体２０の嵌合リブ２２の上端部が、他方のボックス本体２０の溝部２４Ａ内に挿入すると共に、嵌合リブ２２の上端面が、溝部２４Ａの上端面に当接する。これにより、他方のボックス本体２０が、一方のボックス本体２０の嵌合リブ２２によって下側から支持された状態で、ネスティングされる。そして、図１（Ｂ）に示されるように、上記のネスティング作業を繰り返すことで、複数のボックス本体２０が上下にネスティングされる（図１（Ｂ）に示される例では、６個のボックス本体２０を上下にネスティングしている）。また、ボックス本体２０のネスティング時には、上側のボックス本体２０が、下側のボックス本体２０に対して、溝部２４Ａと嵌合リブ２２との間の前後方向の距離Ｌ１分だけ前側にずれて配置される。すなわち、ボックス本体２０のネスティング時には、上側のボックス本体２０を下側のボックス本体２０に対して前後に反転させる必要がなく、上下のボックス本体２０同士が、同一の向きに配置されるため、ネスティング時における作業性を向上することができる。
【００７２】
（ドア４０の上カバー５０への組付けについて）
収納ボックス１０を分解した状態において、ドア４０を上カバー５０に組付けるときには、ドア４０のドア収容部８６内にドア４０を配置させる。具体的には、ドア４０の後面が、上カバー５０の下面と対向するように、ドア４０を上カバー５０と略平行に配置する。また、この状態では、ドア４０のヒンジ部４２が、上カバー５０のリヤ保持爪８２と第２突出片６４との間に位置するように、ドア４０を配置する。そして、この状態において、ドア４０を上カバー５０に接近させると、ドア４０の下端部が、リヤ保持爪８２の保持フック８２Ｂに当接して、リヤ保持爪８２が後側へ弾性変形する。また、このときには、ドア４０の上端部が、フロント保持爪８４の保持フック８４Ｂに当接して、フロント保持爪８４が前側へ弾性変形する。
【００７３】
この状態からドア４０を上カバー５０にさらに接近させると、ドア４０の下端部が、リヤ保持爪８２の保持フック８２Ｂに係合すると共に、ドア４０の上端部が、フロント保持爪８４の保持フック８４Ｂに係合する。これにより、ドア４０が、上カバー５０に組付けられて、上カバー５０に保持される（図８参照）。
【００７４】
ここで、収納ボックス１０のボックス本体２０では、ボックス本体２０をネスティングするときに用いられる嵌合リブ２２及び被嵌合部２４が、ボックス本体２０における側壁２０Ｂの下端部に設けられている。このため、ボックス本体２０をネスティングした状態の安定性を確保することができる。
【００７５】
すなわち、ボックス本体２０は、上側及び前側へ開放された略直方体箱状に形成されている。このため、ボックス本体２０では、ボックス本体２０の上端部が開放端となり、ボックス本体２０の側壁２０Ｂにおける曲げ剛性が比較的低くなる。これにより、ボックス本体２０の側壁２０Ｂに外力が作用して、側壁２０Ｂが左右方向に撓むと、側壁２０Ｂの上端部が左右方向に大きく変位する。特に、側壁２０Ｂの上端部における前端の変位量が大きくなる。つまり、上側及び前側へ開放された略直方体箱状を成すボックス本体２０は、側壁２０Ｂの撓み変形による、側壁２０Ｂにおける上端部の変位量が大きくなる構造になっている。
【００７６】
このため、ボックス本体２０をネスティングするときに用いる嵌合部及び被嵌合部を、仮にボックス本体２０の側壁２０Ｂの上端部に設けた場合（以下、この場合を比較例という）には、ボックス本体２０をネスティングしたときの状態が不安定になる虞がある。
つまり、この比較例のボックス本体２０では、例えば、外力によってボックス本体２０の側壁２０Ｂが撓み変形すると、側壁２０Ｂの上端部が大きく変位する。その結果、ネスティング状態において、ボックス本体２０同士の嵌合部と被嵌合部との嵌合状態が解除される可能性がある。これにより、例えば、複数のボックス本体２０をネスティングした状態で輸送や保管するときに、ネスティングされたボックス本体２０の状態が崩れる虞がある。
【００７７】
また、例えば、比較例のボックス本体２０において、ボックス本体２０を３段以上にネスティングするときには、既にネスティングされた状態のボックス本体２０における側壁２０Ｂの上端部に、３段目以上のボックス本体２０における側壁２０Ｂの上端部を嵌合させる必要がある。そして、この嵌合作業のときには、新たにネスティングさせるボックス本体２０から、既にネスティングされた状態のボックス本体２０の側壁２０Ｂの上端部に外力が作用する。このため、既にネスティングされた状態のボックス本体２０同士の嵌合状態が解除される可能性がある。この場合には、非嵌合状態となったボックス本体２０同士を、再び嵌合状態に復帰させながら、新たなボックス本体２０を下側のボックス本体２０に嵌合させる必要がある。よって、ボックス本体２０をネスティングするときの作業が煩雑になる可能性がある。
【００７８】
これに対して、本実施の形態のボックス本体２０では、ボックス本体２０をネスティングするときに用いられる嵌合リブ２２及び被嵌合部２４が、ボックス本体２０における側壁２０Ｂの下端部に設けられている。そして、側壁２０Ｂの下端部は、ボックス本体２０の底壁２０Ａに接続されている。すなわち、本実施の形態では、嵌合リブ２２及び被嵌合部２４が、側壁２０Ｂにおいて、比較的変位量の小さい部位に設けられている。このため、側壁２０Ｂが撓み変形したときの、嵌合リブ２２及び被嵌合部２４の変位量を、上記比較例に対して大幅に低減することができる。したがって、上側及び前側へ開放された略直方体箱状を成すボックス本体２０であっても、ボックス本体２０をネスティングした状態の安定性を確保することができる。
【００７９】
また、本実施の形態では、比較例のようにボックス本体２０の側壁２０Ｂの上端部同士を嵌合させる構成でないため、ボックス本体２０を、３段以上にネスティングするときにおいても、既にネスティングされた状態のボックス本体２０の側壁２０Ｂの上端部に、新たなボックス本体２０による外力が作用することを抑制できる。このため、新たなボックス本体２０を、ネスティング状態のボックス本体２０にネスティングさせるときに、既にネスティングされた状態のボックス本体２０同士の嵌合状態が解除されることを抑制できる。これにより、上記比較例のような、非嵌合状態となったボックス本体２０同士を、再び嵌合状態に復帰させる作業を行うことを抑制できる。その結果、ボックス本体２０を、３段以上にネスティングするときの作業の煩雑さを抑制できると共に、使用者に対する作業性も向上することができる。
【００８０】
また、本実施の形態では、一方のボックス本体２０の嵌合リブ２２の上端部を、他方のボックス本体２０の溝部２４Ａ内に嵌合させることで、ボックス本体２０同士をネスティングすることができる。すなわち、溝嵌合によって複数のボックス本体２０をネスティングすることができる。したがって、簡易な構成で、複数のボックス本体２０をネスティングすることができる。
【００８１】
また、嵌合リブ２２が、側壁２０Ｂの下端部において、ボックス本体２０の幅方向内側へ突出されると共に、底壁２０Ａから上側へ延出している。このため、嵌合リブ２２が、側壁２０Ｂに対する補強リブとしても作用する。したがって、ネスティング時に用いられる嵌合リブ２２を活用して、側壁２０Ｂを補強することができる。
【００８２】
さらに、嵌合リブ２２は、ボックス本体２０の幅方向内側へ突出されている。このため、嵌合リブ２２を収納ボックス１０の外部から視認不能にすることができる。
また、嵌合リブ２２が嵌合される被嵌合部２４の溝部２４Ａが、ボックス本体２０（収納ボックス１０）の下側の角部において、外部に露出されている。このため、収納ボックス１０において、外部に露出される溝部２４Ａを、比較的目立たない位置に配置することができる。
またさらに、溝部２４Ａにおける上下方向の溝深さが、嵌合リブ２２の上下方向の寸法よりも小さく設定されている。このため、収納ボックス１０の外部に露出される溝部２４Ａの設置エリアを比較的小さくすることができる。
以上により、収納ボックス１０の意匠性を確保しつつ、ボックス本体２０に嵌合リブ２２及び被嵌合部２４（溝部２４Ａ）を設けることができる。
【００８３】
また、嵌合リブ２２の上端面及び被嵌合部２４における溝部２４Ａの上端面が、正面視で、ボックス本体２０の幅方向内側へ向かうに従い上側に傾斜されている。このため、嵌合リブ２２を溝部２４Ａ内に嵌合させたときには、嵌合リブ２２の上端面と溝部２４Ａの上端面とが当接する。これにより、複数のボックス本体２０をネスティングしたときには、嵌合リブ２２と溝部２４Ａとが左右方向に係合する。よって、嵌合リブ２２が溝部２４Ａに当接して嵌め合わさった時に、上方向（縦方向）からの荷重がかかってもネスティングの状態が維持され、嵌合リブ２２が座屈するのを防ぐことができる。このため、ボックス本体２０をネスティングした状態の安定性を一層確保することができる。その結果、嵌合リブ２２と溝部２４Ａとの嵌合状態を良好に維持することができる。したがって、ボックス本体２０をネスティングした状態の安定性を一層確保することができる。
【００８４】
また、上カバー５０は、ボックス本体２０から分解されたドア４０を収容するドア収容部８６と、当該ドア４０を保持する保持機構８０と、を有している。このため、収納ボックス１０を分解した状態では、ドア４０を、上カバー５０に組付けた状態に保持することができる。
これにより、例えば、収納ボックス１０を分解した状態で輸送するときなどの、梱包性能を向上することができる。
また、例えば、収納ボックス１０の不使用時に収納ボックス１０を分解した状態で保管するときには、ドア４０を上カバー５０に組付けて保管することができる。これにより、上カバー５０及びドア４０の保管性能を向上することができると共に、ドア４０の紛失防止に寄与することができる。
【００８５】
また、保持機構８０は、リヤ保持爪８２及びフロント保持爪８４を含んで構成されている。そして、リヤ保持爪８２がドア４０の下端部に係合し、フロント保持爪８４がドア４０の上端部に係合することで、ドア４０が上カバー５０に保持される。このため、簡易な構成でドア４０を上カバー５０に保持した状態にすることができる。
【００８６】
さらに、本実施の形態では、ドア４０が組付けられた状態の上カバー５０をスタッキングしたときには、ドア４０の取手４４の先端部が、下側の上カバー５０の載置凹部５２Ａ内に配置されて、ドア４０と上カバー５０とが干渉しないように構成されている。このため、上カバー５０によってドア４０を保持する構成にしても、上カバー５０のスタッキング性能を維持しつつ、上カバー５０によってドア４０を保持することができる。
【００８７】
また、ボックス本体２０では、ドア４０を回転可能に支持する支持部３０が、底壁２０Ａの前端部に設けられている。また、支持部３０は、側面視で下側へ開放された略Ｕ字形に形成されて、ボックス本体２０の幅方向全体に亘って延在されている。これにより、ドア４０を回転可能に支持する支持部３０を活用して、ボックス本体２０の前端部を補強することができる。すなわち、支持部３０を活用して、ボックス本体２０における前端部の曲げ剛性を高くすることができると共に、ひいてはボックス本体２０全体の剛性を高くすることができる。その結果、ネスティング状態における各々のボックス本体２０の姿勢を安定化させることができると共に、ボックス本体２０をネスティングした状態の安定性を一層高くすることができる。
【００８８】
（第２の実施の形態）
以下、図１１〜図１３を用いて、第２の実施の形態に係る「収納箱」としての収納ボックス１００について説明する。収納ボックス１００は、以下に示す点を除いて第１の実施の形態の収納ボックス１０と同様に構成されている。なお、図１１〜図１３では、収納ボックス１００において、第１の実施の形態と同様に構成されている部材には、同一の符号を付している。
【００８９】
すなわち、収納ボックス１００では、第１の実施の形態の収納ボックス１０におけるドア４０が省略されている。また、収納ボックス１００では、ボックス本体２０の収納部２０Ｄの内部に、抽斗１１０が前後方向にスライド可能に収納されている。具体的には、抽斗１１０の全体が、収納部２０Ｄの内部に収納されており（図１１（Ｂ）に示される位置であり、以下、この抽斗１１０における位置を「収納位置」と称する）、抽斗１１０が収納位置から前側へスライドする（引き出される）ように構成されている。
【００９０】
抽斗１１０は、樹脂材（本実施の形態では、ポリプロピレン（ＰＰ））によって構成されると共に、上側及び前側へ開放された略直方体箱状に形成されている。具体的には、抽斗１１０は、上下方向を板厚方向とし且つ前後方向を長手方向とする略矩形板状の底壁１１０Ａと、底壁１１０Ａの幅方向両端部から上側へ延出された左右一対の側壁１１０Ｂと、底壁１１０Ａの後端部から上側へ延出された後壁１１０Ｃと、を含んで構成されている。そして、抽斗１１０の内部が、収納物としての靴や衣類などの内容物を収納するための収納スペース１１０Ｄとして構成されている。
また、抽斗１１０の幅寸法は、ボックス本体２０の幅寸法よりも小さく設定されており、抽斗１１０の上下寸法（高さ寸法）は、ボックス本体２０の上下寸法（高さ寸法）よりも小さく設定されている。
【００９１】
抽斗１１０の側壁１１０Ｂは、正面視で、下側へ向かうに従い抽斗１１０の幅方向内側へ傾斜しており、後壁１１０Ｃは、側面視で、下側へ向かうに前側へ傾斜している。そして、垂直方向に対する側壁１１０Ｂの傾斜角度と後壁１１０Ｃの傾斜角度とが略同じに設定されている。これにより、抽斗１１０が、他の抽斗１１０を内部に配置して抽斗１１０同士を上下に積重ねる、ネスティング可能に構成されている（図１３参照）。具体的には、抽斗１１０同士を上下にネスティングするときには、下側の抽斗１１０の側壁１１０Ｂ及び後壁１１０Ｃに、上側の抽斗１１０の側壁１１０Ｂ及び後壁１１０Ｃが当接して、抽斗１１０同士を上下にネスティングするようになっている。
【００９２】
抽斗１１０の前端部には、前面カバー１２０が分解可能（着脱可能）に組付けられている。これにより、抽斗１１０の前側の開口部が、前面カバー１２０によって閉塞されている。この前面カバー１２０は、樹脂材（本実施の形態では、ポリプロピレン（ＰＰ））によって構成されると共に、後側へ開放された比較的底の浅い略矩形箱状に形成されている。また、前面カバー１２０の厚み寸法Ｔ１（前後方向の寸法であり、図１２参照）が、ボックス本体２０の嵌合リブ２２の上下方向の高さ寸法Ｈ１（図５参照）よりも小さく設定されている。具体的には、ボックス本体２０の下面から溝部２４Ａの上端までの高さ寸法Ｈ２（図５参照）とすると、前面カバー１２０の厚み寸法Ｔ１が、嵌合リブ２２の高さ寸法Ｈ１から高さ寸法Ｈ２を引いた寸法よりも小さく設定されている。
【００９３】
また、第２の実施の形態では、ボックス本体２０において、支持部３０が省略されている。そして、第１の実施の形態と同様に、ボックス本体２０をネスティングするときに用いられる、対を成す嵌合リブ２２及び被嵌合部２４が、ボックス本体２０の左右の側壁２０Ｂにおける下端部の前端部（２箇所）及び後端部（２箇所）に設けられている。このため、第２の実施の形態においても、第１の実施の形態と同様に、ボックス本体２０をネスティングした状態の安定性を確保することができる。
【００９４】
また、第２の実施の形態では、収納ボックス１００の収納部２０Ｄ内に、抽斗１１０がスライド可能に収納されている。このため、抽斗１１０を収納位置から前方へ引き出すことで、抽斗１１０の収納スペース１１０Ｄに衣類や靴などの所定の内容物を収納することができる。したがって、使用者に対する引き出しとしての利便性を向上することができる。
【００９５】
また、第２の実施の形態では、抽斗１１０同士が上下方向にネスティング可能に構成されている。このため、図１３に示されるように、収納ボックス１００を分解した状態では、ネスティングされた最上段のボックス本体２０の内部に、ネスティングした抽斗１１０を収納することができる。これにより、例えば、抽斗１１０を有する収納ボックス１００において、収納ボックス１００の輸送効率を向上することができると共に、収納ボックス１００の保管性能を向上することができる。
【００９６】
また、第２の実施の形態では、前面カバー１２０の厚み寸法Ｔ１が、ボックス本体２０の嵌合リブ２２の上下方向の高さ寸法よりも小さく設定されている。具体的には、厚み寸法Ｔ１が、嵌合リブ２２の高さ寸法Ｈ１から高さ寸法Ｈ２を引いた寸法よりも小さく設定されている。このため、ボックス本体２０同士をネスティングしたときの、上下に対向して配置されるボックス本体２０の底壁２０Ａ間の距離よりも、前面カバー１２０の厚み寸法Ｔ１が小さく設定されている。これにより、図１３に示されるように、ボックス本体２０の底壁２０Ａ上に前面カバー１２０を載置した状態で、複数のボックス本体２０を上下にネスティングすることができる。したがって、例えば、収納ボックス１００の輸送効率を一層向上することができると共に、収納ボックス１００の保管性能を一層向上することができる。
【００９７】
なお、第２の実施の形態では、抽斗１１０が上下にネスティング可能に構成されているが、第２の実施の形態において、抽斗１１０の側壁１１０Ｂの下端部に、ボックス本体２０と同様の対を成す嵌合リブ２２及び被嵌合部２４を設けてもよい。これにより、抽斗１１０をネスティングしたときに安定性が増し、上方向（縦方向）からの荷重がかかったとしても座屈するのを防ぎネスティングの状態が維持することができる。
【００９８】
（第２の実施の形態の変形例）
以下、図１４及び図１５を用いて、第２の実施の形態に係る収納ボックス１００の変形例について説明する。
本変形例では、ボックス本体２０の底壁２０Ａにおける底面絞り部２０Ａ１の絞り高さが、第１及び第２の実施の形態よりも大きくなっており、底面絞り部２０Ａ１の前端が、ボックス本体２０の前端まで延びている。また、底面絞り部２０Ａ１の絞り高さが、前面カバー１２０の厚み寸法Ｔ１よりも大きく、且つ嵌合リブ２２の高さ寸法Ｈ１よりも小さく設定されている。そして、抽斗１１０が底面絞り部２０Ａ１上をスライドする構成になっている。また、ボックス本体２０の底面絞り部２０Ａ１の前端部には、下側へ延出された前後一対の補強リブ２０Ａ２が一体に形成されており、補強リブ２０Ａ２は左右方向に延在している。
【００９９】
また、底面絞り部２０Ａ１の中央部には、前面カバー１２０を収容するための「カバー収容部」としての収容凹部２０Ａ３が形成されている。収容凹部２０Ａ３は、底面絞り部２０Ａ１から下側へ隆起され且つ上側へ開放された凹状に形成されており、平面視で前後方向を長手方向とする略矩形状に形成されている。さらに、平面視における収容凹部２０Ａ３の外形は、前面カバー１２０の外形よりも若干大きく設定されており、前面カバー１２０が収容凹部２０Ａ３内に収容可能に構成されている。また、収容凹部２０Ａ３の底壁には、孔部２０Ａ４が貫通形成されており、孔部２０Ａ４は、収容凹部２０Ａ３と相似形を成す略矩形状に形成されている。このような構成にすることで、ボックス本体２０と前面カバー１２０を金型で成形するときに共取り（セット取り）で成形することができる。なお、収容凹部２０Ａ３の底壁は、ボックス本体２０の底壁２０Ａよりも若干上側に配置されて、当該底壁がボックス本体２０の底壁２０Ａから下側へ突出しない構成になっている。
【０１００】
そして、図１５に示されるように、第２の実施の形態の変形例においても、収納ボックス１００を分解した状態では、ネスティングされた最上段のボックス本体２０の内部に、ネスティングした抽斗１１０を収納することができる。これにより、例えば、抽斗１１０を有する収納ボックス１００において、収納ボックス１００の輸送効率を向上することができると共に、収納ボックス１００の保管性能を向上することができる。
【０１０１】
また、第２の実施の形態の変形例では、前面カバー１２０を収容する収容凹部２０Ａ３が、ボックス本体２０の底壁２０Ａに形成されている。これにより、前面カバー１２０を収容凹部２０Ａ３の内部に収容保持した状態で、複数のボックス本体２０を上下にネスティングすることができる。したがって、例えば、前面カバー１２０をボックス本体２０の収容凹部２０Ａ３に安定させた状態に収容しつつ、収納ボックス１００を輸送することができると共に、収納ボックス１００を保管することができる。
【０１０２】
（第３の実施の形態）
以下、図１６〜図１８を用いて、第３の実施の形態に係る「収納箱」としての収納ボックス２００について説明する。収納ボックス２００は、以下に示す点を除いて第２の実施の形態の収納ボックス１００と同様に構成されている。なお、図１６〜図１８では、収納ボックス２００において、第２の実施の形態と同様に構成されている部材には、同一の符号を付している。
【０１０３】
すなわち、収納ボックス２００では、抽斗１１０が、上側のみに開放された略直方体箱状に形成されている。このため、抽斗１１０には、底壁１１０Ａの前端部から上側へ延出された前壁１１０Ｅが設けられている。また、第３の実施の形態では、垂直方向に対する抽斗１１０の側壁１１０Ｂ及び後壁１１０Ｃの傾斜角度が、第２の実施の形態よりも大きく設定されると共に、垂直方向に対する前壁１１０Ｅの傾斜角度よりも大きく設定されている。これにより、第３の実施の形態においても、抽斗１１０同士が、上下方向にネスティング可能に構成されている（図１８参照）。具体的には、抽斗１１０同士を上下にネスティングするときには、下側の抽斗１１０の側壁１１０Ｂ、後壁１１０Ｃ、及び前壁１１０Ｅに、上側の抽斗１１０の側壁１１０Ｂ、後壁１１０Ｃ、及び前壁１１０Ｅが当接して、抽斗１１０同士を上下にネスティングするようになっている。
【０１０４】
また、第３の実施の形態では、ボックス本体２０の底壁２０Ａにおける底面絞り部２０Ａ１の絞り高さが、第２の実施の形態の変形例と同様に、第１及び第２の実施の形態よりも大きくなっており、底面絞り部２０Ａ１の前端が、ボックス本体２０の前端まで延びている。そして、抽斗１１０が底面絞り部２０Ａ１上をスライドする構成になっている。また、ボックス本体２０の底面絞り部２０Ａ１の前端部には、下側へ延出された前後一対の補強リブ２０Ａ２が一体に形成されており、補強リブ２０Ａ２は左右方向に延在している。
【０１０５】
さらに、第３の実施の形態では、上カバー５０の前端部における上面には、下側へ一段下がった段差部５０Ａが形成されている。
【０１０６】
また、第３の実施の形態では、収納ボックス２００の前端部に、略矩形枠状を成す枠部材２１０が設けられている。枠部材２１０は、樹脂材（本実施の形態では、ポリプロピレン（ＰＰ））によって構成されている。枠部材２１０は、前後方向を板厚方向とした略矩形板状のパネル部２１２と、パネル部２１２の外周縁部から後側へ延出された外周壁２１４と、を含んで構成されている。そして、枠部材２１０の外周壁２１４の内側に、ボックス本体２０の補強リブ２０Ａ２及び上カバー５０の段差部５０Ａが嵌入されて、枠部材２１０が、ボックス本体２０及び上カバー５０に分解可能に組付けられている。
【０１０７】
また、パネル部２１２には、略矩形筒状の挿通部２１２Ａが形成されており、挿通部２１２Ａの内部は、前後方向に貫通されている。この挿通部２１２Ａは、正面視で、抽斗１１０の形状と相似形を成しており、抽斗１１０のスライド時には、抽斗１１０が挿通部２１２Ａ内を挿通するように構成されている。
【０１０８】
また、枠部材２１０の厚み寸法Ｔ２（前後方向の寸法であり、図１７参照）が、ボックス本体２０の嵌合リブ２２の上下方向の高さ寸法Ｈ１（図５参照）よりも小さく設定されている。具体的には、枠部材２１０の厚み寸法Ｔ２が、嵌合リブ２２の高さ寸法Ｈ１から、ボックス本体２０の下面から溝部２４Ａの上端までの高さ寸法Ｈ２を引いた寸法よりも小さく設定されている。
【０１０９】
そして、第１及び第２の実施の形態と同様に、ボックス本体２０をネスティングするときに用いられる、対を成す嵌合リブ２２及び被嵌合部２４が、ボックス本体２０における左右の側壁２０Ｂの下端部における前端部（２箇所）及び後端部（２箇所）に設けられている。このため、第３の実施の形態においても、第１及び第２の実施の形態と同様に、ボックス本体２０をネスティングした状態の安定性を確保することができる。
【０１１０】
また、第３の実施の形態では、収納ボックス２００の収納部２０Ｄ内に、抽斗１１０がスライド可能に収納されている。このため、第２の実施の形態と同様に、抽斗１１０を収納位置から前方へ引き出すことで、抽斗１１０の収納スペース１１０Ｄに靴などの内容物を収納することができる。したがって、使用者に対する利便性を向上することができる。
【０１１１】
また、第３の実施の形態では、抽斗１１０同士が上下方向にネスティング可能に構成されている。このため、図１８に示されるように、収納ボックス２００を分解した状態では、ネスティングされた最上段のボックス本体２０の内部に、ネスティングした抽斗１１０を収納することができる。これにより、例えば、抽斗１１０を有する収納ボックス２００において、収納ボックス２００の輸送効率を向上することができると共に、収納ボックス２００の保管性能を向上することができる。
【０１１２】
また、第３の実施の形態では、収納ボックス２００の前端部に、略矩形枠状を成す枠部材２１０が設けられている。そして、枠部材２１０の外周壁２１４の内側に、ボックス本体２０の補強リブ２０Ａ２及び上カバー５０の段差部５０Ａが嵌入されて、枠部材２１０が、ボックス本体２０及び上カバー５０に分解可能に組付けられている。これにより、収納ボックス２００の前側の開口部を閉塞する枠部材２１０を用いて、収納ボックス２００の前端部を補強することができる。
【０１１３】
また、第３の実施の形態では、枠部材２１０の厚み寸法Ｔ２が、ボックス本体２０の嵌合リブ２２の上下方向の高さ寸法Ｈ１よりも小さく設定されている。具体的には、枠部材２１０の厚み寸法Ｔ２が、嵌合リブ２２の高さ寸法Ｈ１から、高さ寸法Ｈ２を引いた寸法よりも小さく設定されている。このため、ボックス本体２０同士をネスティングしたときの、上下に対向して配置されるボックス本体２０の底壁２０Ａ（底面絞り部２０Ａ１）間の距離よりも、枠部材２１０の厚み寸法Ｔ２が小さく設定されている。これにより、図１８に示されるように、ボックス本体２０の底壁２０Ａ（底面絞り部２０Ａ１）上に枠部材２１０を載置した状態で、複数のボックス本体２０を上下にネスティングすることができる。したがって、例えば、枠部材２１０を有する収納ボックス２００における輸送効率を一層向上することができると共に、収納ボックス２００の保管性能を一層向上することができる。
【０１１４】
（第３の実施の形態の変形例）
以下、図１９及び図２０を用いて、第３の実施の形態に係る収納ボックス２００の変形例について説明する。
本変形例では、ボックス本体２０における底面絞り部２０Ａ１の絞り高さが、枠部材２１０の厚み寸法Ｔ２よりも大きく設定されている。
また、底面絞り部２０Ａ１の中央部には、枠部材２１０を収容するための「枠部材収容部」としての収容凹部２０Ａ５が形成されている。収容凹部２０Ａ５は、底面絞り部２０Ａ１から下側へ隆起され且つ上側へ開放された凹状に形成されており、平面視で前後方向を長手方向とする略矩形状に形成されている。さらに、平面視における収容凹部２０Ａ５の外形は、枠部材２１０の外形よりも若干大きく設定されており、枠部材２１０が収容凹部２０Ａ５内に収容可能に構成されている。また、収容凹部２０Ａ５の底壁には、孔部２０Ａ６が貫通形成されており、孔部２０Ａ６は、収容凹部２０Ａ５と相似形を成す略矩形状に形成されている。このような構成にすることで、ボックス本体２０と枠部材２１０を金型で成形するときに共取り（セット取り）で成形することができる。なお、収容凹部２０Ａ５の底壁は、ボックス本体２０の底壁２０Ａよりも若干上側に配置されて、当該底壁がボックス本体２０の底壁２０Ａから下側へ突出しない構成になっている。
【０１１５】
そして、第３の実施の形態の変形例においても、収納ボックス２００を分解した状態では、ネスティングされた最上段のボックス本体２０の内部に、ネスティングした抽斗１１０を収納することができる。これにより、例えば、抽斗１１０を有する収納ボックス２００において、収納ボックス１００の輸送効率を向上することができると共に、収納ボックス２００の保管性能を向上することができる。
【０１１６】
また、第３の実施の形態の変形例では、枠部材２１０を収容する収容凹部２０Ａ５が、ボックス本体２０の底壁２０Ａに形成されている。これにより、枠部材２１０を収容凹部２０Ａ５の内部に収容保持した状態で、複数のボックス本体２０を上下にネスティングすることができる。したがって、例えば、枠部材２１０をボックス本体２０の収容凹部２０Ａ５に安定させた状態に収容しつつ、収納ボックス２００を輸送することができると共に、収納ボックス２００を保管することができる。
【０１１７】
なお、第１〜第３の実施の形態（第２及び第３の実施の形態の変形例を含む）では、ボックス本体２０のネスティング時に、下側のボックス本体２０の嵌合リブ２２が、上側のボックス本体２０の溝部２４Ａ内に嵌合する嵌合構造になっているが、この嵌合構造はこれに限らない。
例えば、下側のボックス本体２０の溝部内に、上側のボックス本体２０の嵌合リブが嵌合する構成にしてもよい。この場合には、ボックス本体２０の側壁２０Ｂの下端部において、ボックス本体２０の幅方向外側へ突出された嵌合リブが形成される。また、ボックス本体２０の側壁２０Ｂの下端部において、ボックス本体２０の幅方向内側へ開放された溝部を有する被嵌合部が、側壁２０Ｂの下端部からボックス本体２０の幅方向内側へ突出される。
【０１１８】
また、第１〜第３の実施の形態（第２及び第３の実施の形態の変形例を含む）では、ボックス本体２０の嵌合リブ２２の上端面及び溝部２４Ａの上端面が、正面視で、ボックス本体２０の幅方向内側へ向かうに従い上側へ傾斜して配置されているが、嵌合リブ２２の上端面及び溝部２４Ａの上端面を、上下方向に対して直交する面（すなわち、水平面）に沿って形成してもよい。
【０１１９】
また、第１の実施の形態では、ドア４０を上カバー５０に保持するための保持機構８０が、ドア４０の外周部に係合する、リヤ保持爪８２と、フロント保持爪８４と、を含んで構成されているが、保持機構８０の構成はこれに限らない。
例えば、保持機構８０において、リヤ保持爪８２及びフロント保持爪８４の何れか一方を省略して、省略した保持爪の代わりに、ドア４０の外周端部を係止する鉤状のフックを上カバー５０に設けてもよい。
【０１２０】
また、第１〜第３の実施の形態（第２及び第３の実施の形態の変形例を含む）では、ボックス本体２０、ドア４０、上カバー５０、抽斗１１０、前面カバー１２０、及び枠部材２１０が、ＰＰによって構成されているが、これらの部材を、ＡＢＳやＰＥなどの樹脂材で構成してもよい。
【０１２１】
また、第１〜第３の実施の形態（第２及び第３の実施の形態の変形例を含む）では、ボックス本体２０、ドア４０、上カバー５０、抽斗１１０、前面カバー１２０、及び枠部材２１０の板厚は特に規定していないが、これらの部材の板厚を、０．５ｍｍ〜６ｍｍの範囲で設定することができ、好ましくは０．６ｍｍ以上且つ３．５ｍｍ以下、より好ましくは０．８ｍｍ以上且つ２．５ｍｍ以下としてもよい。
また、これらの部材をＡＢＳによって構成する場合には、これらの部材の板厚を、０．５ｍｍ以上且つ１．６ｍｍ以下としてもよい。
【０１２２】
また、第１〜第３の実施の形態（第２及び第３の実施の形態の変形例を含む）では、対を成す嵌合リブ２２及び被嵌合部２４が、ボックス本体２０の側壁２０Ｂの下端部における前端部及び後端部に設けられているが、対を成す嵌合リブ２２及び被嵌合部２４の設置場所は、収納箱全体のサイズに応じ、例えば、対を成す嵌合リブ２２及び被嵌合部２４を、ボックス本体２０の左右の側壁２０Ｂの下端部における、前後方向のいずれかで前のみ（左右２箇所）又は後ろのみ（左右２箇所）、あるいは前後方向中間部付近にのみ（左右２箇所）に設けることもできる。
【０１２３】
また、第２の実施の形態では、前面カバー１２０が抽斗１１０の前端部に分解可能に組付けられ、第３の実施の形態では、枠部材２１０が、ボックス本体２０及び上カバー５０に分解可能に組付けられているが、収納ボックスを、第２の実施の形態と第３の実施の形態を組み合わせた構成にしてもよい。すなわち、抽斗１１０を前側且つ上側へ開放された略直方体箱状に形成し、抽斗１１０の前端部に前面カバー１２０を設けると共に、枠部材２１０を、ボックス本体２０及び上カバー５０に組付ける構成にしてもよい。また、この場合には、第３の実施の形態の変形例と同様に、ボックス本体２０の底壁２０Ａに収容凹部２０Ａ５を形成して、複数のボックス本体２０のネスティング時に、前面カバー１２０及び枠部材２１０を収容凹部２０Ａ５の内部に収容してもよい。
【０１２４】
また、第１〜第３の実施の形態（第２及び第３の実施の形態の変形例を含む）の収納ボックス１０，１００，２００は、靴に限らず小物や衣類など様々なものを収納する収納ボックスとして構成されており、収納ボックス１０，１００，２００の用途は靴収納に限らない。例えば、収納ボックス１０，１００，２００を、工具や日用品等を収納する収納ボックスとしてもよい。
【符号の説明】
【０１２５】
１０          収納ボックス（収納箱）
２０          ボックス本体（箱本体）
２０Ａ３      収容凹部（カバー収容部）
２０Ａ５      収容凹部（枠部材収容部）
２０Ｄ        収納部
２２          嵌合リブ（嵌合部）
２４          被嵌合部
２４Ａ        溝部
４０          ドア（蓋）
５０          上カバー
８０          保持機構
８２          リヤ保持爪（保持爪）
８２Ｂ        保持フック
８４          フロント保持爪（保持爪）
１００        収納ボックス（収納箱）
１１０        抽斗
１２０        前面カバー
２００        収納ボックス（収納箱）
２１０        枠部材
【図１】
2019156490.tif 000003
【図２】
2019156490.tif 000004
【図３】
2019156490.tif 000005
【図４】
2019156490.tif 000006
【図５】
2019156490.tif 000007
【図６】
2019156490.tif 000008
【図７】
2019156490.tif 000009
【図８】
2019156490.tif 000010
【図９】
2019156490.tif 000011
【図１０】
2019156490.tif 000012
【図１１】
2019156490.tif 000013
【図１２】
2019156490.tif 000014
【図１３】
2019156490.tif 000015
【図１４】
2019156490.tif 000016
【図１５】
2019156490.tif 000017
【図１６】
2019156490.tif 000018
【図１７】
2019156490.tif 000019
【図１８】
2019156490.tif 000020
【図１９】
2019156490.tif 000021
【図２０】
2019156490.tif 000022
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
上側及び前側へ開放された箱形状に形成され、内部が収納部として構成された箱本体と、
前記箱本体に分解可能に組付けられ且つ前記箱本体の上側の開口部を塞ぐ上カバーと、
を含んで構成され、
前記箱本体は、前記箱本体同士を、上下方向に積み重なるネスティング可能に構成されており、
前記箱本体における側壁の下端部には、ネスティング時に互いに嵌合される嵌合部及び被嵌合部が形成され、
前記嵌合部は、前記側壁から前記箱本体の幅方向内側へ突出され且つ上下方向に延在されたリブ状に形成され、
前記被嵌合部は、前記箱本体の幅方向外側へ且つ下側へ開放された溝部を有しており、
前記箱本体のネスティング時には、下側に配置された前記箱本体における前記嵌合部の上端部が、上側に配置された前記箱本体の前記溝部の内部に挿入されると共に、下側に配置された前記嵌合部の上面端と上側に配置された前記溝部の上端面とが当接することを特徴とする収納箱。
【請求項２】
前記嵌合部の上端面及び前記溝部の上端面が、正面視で、前記箱本体の幅方向内側へ向かうに従い上側へ傾斜されていることを特徴とする請求項１に記載の収納箱。
【請求項３】
前記側壁は、下側へ向かうに従い前記箱本体の幅方向内側へ傾斜し、前記側壁の前端部には、前記箱本体の幅方向外側へ張り出されたフランジ部が形成されており、
前側から見た正面視において、前記箱本体の正面外観が矩形となるように前記フランジ部が設けられている請求項１又は請求項２に記載の収納箱。
【請求項４】
前記箱本体には、前記箱本体の前側の開口部を開閉する蓋が分解可能に組付けられており、
前記上カバーの下面には、前記箱本体から分解された状態の前記蓋を保持する保持機構が設けられていることを特徴とする請求項１〜請求項３の何れか１項に記載の収納箱。
【請求項５】
前記保持機構は、前記蓋の外周縁部と係合可能に構成された保持爪を有していることを特徴とする請求項４に記載の収納箱。
【請求項６】
前記箱本体の底壁の前端部には、前記蓋を回転可能に支持する支持部が形成されており、
前記支持部が、側面視で下側へ開放された凹状に形成されると共に、前記箱本体の幅方向全体に亘って延在されていることを特徴とする請求項４又は請求項５に記載の収納箱。
【請求項７】
前記収納部には、抽斗が前後方向にスライド可能に収納されており、
前記抽斗は、上側且つ前側へ又は上側へ開放された箱形状に形成されると共に、前記抽斗同士を、上下方向に積み重なるネスティング可能に構成されていることを特徴とする請求項１〜請求項３の何れか１項に記載の収納箱。
【請求項８】
前記抽斗は、上側且つ前側へ開放された箱状に形成され、
前記抽斗には、前記抽斗の前側の開口部を閉塞する前面カバーが分解可能に組付けられており、
前記前面カバーの厚み寸法が、前記嵌合部の上下方向の高さ寸法よりも小さく設定されている請求項７に記載の収納箱。
【請求項９】
前記抽斗は、上側且つ前側へ開放された箱状に形成され、
前記抽斗には、前記抽斗の前側の開口部を閉塞する前面カバーが分解可能に組付けられており、
前記箱本体の底壁には、前記抽斗から分解された状態の前記前面カバーを収容するカバー収容部が形成されている請求項７に記載の収納箱。
【請求項１０】
前記箱本体及び前記上カバーの前端部には、前記箱本体及び上カバーを覆う枠部材が分解可能に組付けられており、
前記枠部材には、前記抽斗のスライド時に前記抽斗が挿通される挿通部が形成され、前記枠部材の厚み寸法が、前記嵌合部の上下方向の高さ寸法よりも小さく設定されている請求項７に記載の収納箱。
【請求項１１】
前記箱本体及び前記上カバーの前端部には、前記箱本体及び上カバーを覆う枠部材が分解可能に組付けられ、
前記枠部材には、前記抽斗のスライド時に前記抽斗が挿通される挿通部が形成されており、
前記箱本体の底壁には、前記箱本体及び前記上カバーから分解された状態の前記枠部材を収容する枠部材収容部が形成されている請求項７に記載の収納箱。
【手続補正２】
【補正対象書類名】明細書
【補正対象項目名】０００７
【補正方法】変更
【補正の内容】
【０００７】
形態１：本発明の１又はそれ以上の実施形態は、上側及び前側へ開放された箱形状に形成され、内部が収納部として構成された箱本体と、前記箱本体に分解可能に組付けられ且つ前記箱本体の上側の開口部を塞ぐ上カバーと、を含んで構成され、前記箱本体は、前記箱本体同士を、上下方向に積み重なるネスティング可能に構成されており、前記箱本体における側壁の下端部には、ネスティング時に互いに嵌合される嵌合部及び被嵌合部が形成され、前記嵌合部は、前記側壁から前記箱本体の幅方向内側へ突出され且つ上下方向に延在されたリブ状に形成され、前記被嵌合部は、前記箱本体の幅方向外側へ且つ下側へ開放された溝部を有しており、前記箱本体のネスティング時には、下側に配置された前記箱本体における前記嵌合部の上端部が、上側に配置された前記箱本体の前記溝部の内部に挿入されると共に、下側に配置された前記嵌合部の上面端と上側に配置された前記溝部の上端面とが当接することを特徴とする収納箱である。
【手続補正３】
【補正対象書類名】明細書
【補正対象項目名】０００８
【補正方法】変更
【補正の内容】
【０００８】
形態２：本発明の１又はそれ以上の実施形態は、前記嵌合部の上端面及び前記溝部の上端面が、正面視で、前記箱本体の幅方向内側へ向かうに従い上側へ傾斜されていることを特徴とする収納箱である。
【手続補正４】
【補正対象書類名】明細書
【補正対象項目名】０００９
【補正方法】変更
【補正の内容】
【０００９】
形態３：本発明の１又はそれ以上の実施形態は、前記側壁は、下側へ向かうに従い前記箱本体の幅方向内側へ傾斜し、前記側壁の前端部には、前記箱本体の幅方向外側へ張り出されたフランジ部が形成されており、前側から見た正面視において、前記箱本体の正面外観が矩形となるように前記フランジ部が設けられている収納箱である。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
上側及び前側へ開放された箱形状に形成され、内部が収納部として構成された箱本体と、
前記箱本体に分解可能に組付けられ且つ前記箱本体の上側の開口部を塞ぐ上カバーと、
を含んで構成され、
前記箱本体は、前記箱本体同士を、上下方向に積み重なるネスティング可能に構成されており、
前記箱本体における側壁の下端部には、ネスティング時に互いに嵌合される嵌合部及び被嵌合部が形成され、
前記嵌合部は、前記側壁から前記箱本体の幅方向内側へ突出され且つ上下方向に延在されたリブ状に形成され、
前記被嵌合部は、前記箱本体の幅方向外側へ且つ下側へ開放された溝部を有しており、
前記箱本体のネスティング時には、下側に配置された前記箱本体における前記嵌合部の上端部が、上側に配置された前記箱本体の前記溝部の内部に挿入されると共に、下側に配置された前記嵌合部の上端面と上側に配置された前記溝部の上端面とが当接することを特徴とする収納箱。
【請求項２】
前記嵌合部の上端面及び前記溝部の上端面が、正面視で、前記箱本体の幅方向内側へ向かうに従い上側へ傾斜されていることを特徴とする請求項１に記載の収納箱。
【請求項３】
前記側壁は、下側へ向かうに従い前記箱本体の幅方向内側へ傾斜し、前記側壁の前端部には、前記箱本体の幅方向外側へ張り出されたフランジ部が形成されており、
前側から見た正面視において、前記箱本体の正面外観が矩形となるように前記フランジ部が設けられている請求項１又は請求項２に記載の収納箱。
【請求項４】
前記箱本体には、前記箱本体の前側の開口部を開閉する蓋が分解可能に組付けられており、
前記上カバーの下面には、前記箱本体から分解された状態の前記蓋を保持する保持機構が設けられていることを特徴とする請求項１〜請求項３の何れか１項に記載の収納箱。
【請求項５】
前記保持機構は、前記蓋の外周縁部と係合可能に構成された保持爪を有していることを特徴とする請求項４に記載の収納箱。
【請求項６】
前記箱本体の底壁の前端部には、前記蓋を回転可能に支持する支持部が形成されており、
前記支持部が、側面視で下側へ開放された凹状に形成されると共に、前記箱本体の幅方向全体に亘って延在されていることを特徴とする請求項４又は請求項５に記載の収納箱。
【請求項７】
前記収納部には、抽斗が前後方向にスライド可能に収納されており、
前記抽斗は、上側且つ前側へ又は上側へ開放された箱形状に形成されると共に、前記抽斗同士を、上下方向に積み重なるネスティング可能に構成されていることを特徴とする請求項１〜請求項３の何れか１項に記載の収納箱。
【請求項８】
前記抽斗は、上側且つ前側へ開放された箱状に形成され、
前記抽斗には、前記抽斗の前側の開口部を閉塞する前面カバーが分解可能に組付けられており、
前記前面カバーの厚み寸法が、前記嵌合部の上下方向の高さ寸法よりも小さく設定されている請求項７に記載の収納箱。
【請求項９】
前記抽斗は、上側且つ前側へ開放された箱状に形成され、
前記抽斗には、前記抽斗の前側の開口部を閉塞する前面カバーが分解可能に組付けられており、
前記箱本体の底壁には、前記抽斗から分解された状態の前記前面カバーを収容するカバー収容部が形成されている請求項７に記載の収納箱。
【請求項１０】
前記箱本体及び前記上カバーの前端部には、前記箱本体及び上カバーを覆う枠部材が分解可能に組付けられており、
前記枠部材には、前記抽斗のスライド時に前記抽斗が挿通される挿通部が形成され、前記枠部材の厚み寸法が、前記嵌合部の上下方向の高さ寸法よりも小さく設定されている請求項７に記載の収納箱。
【請求項１１】
前記箱本体及び前記上カバーの前端部には、前記箱本体及び上カバーを覆う枠部材が分解可能に組付けられ、
前記枠部材には、前記抽斗のスライド時に前記抽斗が挿通される挿通部が形成されており、
前記箱本体の底壁には、前記箱本体及び前記上カバーから分解された状態の前記枠部材を収容する枠部材収容部が形成されている請求項７に記載の収納箱。
【手続補正２】
【補正対象書類名】明細書
【補正対象項目名】０００７
【補正方法】変更
【補正の内容】
【０００７】
形態１：本発明の１又はそれ以上の実施形態は、上側及び前側へ開放された箱形状に形成され、内部が収納部として構成された箱本体と、前記箱本体に分解可能に組付けられ且つ前記箱本体の上側の開口部を塞ぐ上カバーと、を含んで構成され、前記箱本体は、前記箱本体同士を、上下方向に積み重なるネスティング可能に構成されており、前記箱本体における側壁の下端部には、ネスティング時に互いに嵌合される嵌合部及び被嵌合部が形成され、前記嵌合部は、前記側壁から前記箱本体の幅方向内側へ突出され且つ上下方向に延在されたリブ状に形成され、前記被嵌合部は、前記箱本体の幅方向外側へ且つ下側へ開放された溝部を有しており、前記箱本体のネスティング時には、下側に配置された前記箱本体における前記嵌合部の上端部が、上側に配置された前記箱本体の前記溝部の内部に挿入されると共に、下側に配置された前記嵌合部の上端面と上側に配置された前記溝部の上端面とが当接することを特徴とする収納箱である。